(57)【要約】  本発明は、可動ハウジングの移動に伴って端子が弾性変形する場合に端子の短絡を防止することの可能なコネクタを提供する。各端子２０の一端側の幅方向（Ｘ方向）の寸法（＝Ｘ１）を他端側の幅方向の寸法（＝Ｘ２）よりも大きくなるように形成したので、一端側における各端子２０の間隔に対して他端側における各端子２０の間隔が広く形成されることから、可動部２２が弾性変形したときに互いに隣接する端子２０同士が接触することがない。これにより、可動ハウジング１１の移動に伴って端子２０が弾性変形する場合に端子２０の短絡を防止することができるので、相手側コネクタ１００と基板２００との電気的接続を確実に行うことができ、複数の装置間の信号を安定して伝送することができる。従って、多数の端子を高密度に配置することができ、小型の電子機器に用いる場合に極めて有利である。
2007094051.tif 000002
【特許請求の範囲】
【請求項１】
一方の接続対象物側に配置される可動ハウジングと、他方の接続対象物側に配置される固定ハウジングと、一端側を可動ハウジングに保持され、他端側を固定ハウジングに保持された複数の端子とを備え、固定ハウジングに対する可動ハウジングの幅方向または上下方向への移動に伴って、各端子の他端側に形成された可動部が弾性変形するようにしたコネクタにおいて、
前記各端子の一端側の幅方向の寸法を他端側の幅方向の寸法よりも大きくなるように形成した
ことを特徴とするコネクタ。
【請求項２】
前記各端子の一端側の幅方向の寸法を幅方向に直交する方向の寸法よりも大きくなるように形成し、他端側の幅方向の寸法を幅方向に直交する方向の寸法よりも小さくなるように形成した
ことを特徴とする請求項１記載のコネクタ。
【請求項３】
前記各端子の一端側を他端側に対して幅方向に所定距離だけずれるように形成した
ことを特徴とする請求項１記載のコネクタ。
【請求項４】
前記各端子の一端側を他端側に対して幅方向に所定距離だけずれるように形成した
ことを特徴とする請求項２記載のコネクタ。
【請求項５】
前記各端子の一端側を幅方向に折り曲げることによって形成した
ことを特徴とする請求項１記載のコネクタ。
【請求項６】
前記各端子の一端側を幅方向に折り曲げることによって形成した
ことを特徴とする請求項２記載のコネクタ。
【請求項７】
前記各端子の一端側を幅方向に折り曲げることによって形成した
ことを特徴とする請求項３記載のコネクタ。
【発明の詳細な説明】
【技術分野】
【０００１】
本発明は、例えばパーソナルコンピュータとＨＤＤ（Ｈａｒｄ  Ｄｉｓｋ  Ｄｒｉｖｅ）とを接続する場合など、複数の装置を接続するためのコネクタに関するものである。
【背景技術】
【０００２】
従来、この種のコネクタとしては、一方の接続対象物側に配置される可動ハウジングと、他方の接続対象物側に配置される固定ハウジングと、一端側を可動ハウジングに保持され、他端側を固定ハウジングに保持された複数の端子とを備え、固定ハウジングに対する可動ハウジングの幅方向及び上下方向への移動に伴って、各端子の一端側と他端側との間に形成された可動部が弾性変形するようにしたものが知られている。【０００３】
このコネクタには、図１０に示すような端子３０がコネクタの幅方向に複数個設けられている。端子３０は、導電性の金属板を前後方向（Ｙ方向）及び上下方向（Ｚ方向）に折り曲げることによって形成されており、端子３０には、一方の接続対象物に接触する接触部３１と、端子３０の幅方向（Ｘ方向）及び上下方向（Ｚ方向）に弾性変形する可動部３２と、他方の接続対象物に接続される接続部３３とが設けられている。また、接触部３１の幅方向の寸法（＝Ｘ１）は接触部３１の上下方向の寸法（＝Ｚ１）よりも大きく形成されており、可動部３２の幅方向の寸法（＝Ｘ１）は可動部３２の前後方向の寸法（＝Ｙ１）よりも大きく形成されている。【０００４】
しかしながら、このコネクタでは、可動部３２の幅方向の寸法が接触部３１の幅方向の寸法と等しく形成されているので、他端側における各端子３０の間隔が一端側と同様に小さく形成されることから、可動ハウジングを幅方向（Ｘ方向）に移動させた場合には、各端子３０の可動部３２が弾性変形して隣接する端子３０に接触し、短絡するおそれがあった。
【特許文献１】特開２００４−２１４０９１号公報
【発明の開示】
【発明が解決しようとする課題】
【０００５】
本発明は前記問題点に鑑みてなされたものであり、その目的とするところは、可動ハウジングの移動に伴って端子が弾性変形する場合に端子の短絡を防止することの可能なコネクタを提供することにある。
【課題を解決するための手段】
【０００６】
本発明は前記目的を達成するために、一方の接続対象物側に配置される可動ハウジングと、他方の接続対象物側に配置される固定ハウジングと、一端側を可動ハウジングに保持され、他端側を固定ハウジングに保持された複数の端子とを備え、固定ハウジングに対する可動ハウジングの幅方向または上下方向への移動に伴って、各端子の他端側に形成された可動部が弾性変形するようにしたコネクタにおいて、前記各端子の一端側の幅方向の寸法を他端側の幅方向の寸法よりも大きくなるように形成している。【０００７】
これにより、一端側における各端子の間隔に対して他端側における各端子の間隔が広く形成されることから、可動部が弾性変形したときに互いに隣接する端子同士が接触することがない。従って、可動ハウジングの移動に伴って端子が弾性変形する場合に端子の短絡を防止することができる。
【発明の効果】
【０００８】
本発明によれば、可動ハウジングの移動に伴って端子が弾性変形する場合に端子の短絡を防止することができるので、一方の接続対象物と他方の接続対象物との電気的接続を確実に行うことができ、複数の装置間の信号を安定して伝送することができる。従って、多数の端子を高密度に配置することができ、小型の電子機器に用いる場合に極めて有利である。
【図面の簡単な説明】
【０００９】
【図１】本発明の一実施形態によるコネクタの正面側斜視図
【図２】コネクタの背面側斜視図
【図３】コネクタの一部拡大斜視図
【図４】コネクタの側面断面図
【図５】端子の斜視図
【図６】端子の平面図
【図７】端子の正面図
【図８】コネクタの動作を示す側面断面図
【図９】従来のコネクタと本発明の一実施形態によるコネクタの特性を示す図
【図１０】従来のコネクタで用いられる端子の斜視図
【符号の説明】
【００１０】
１１…可動ハウジング、１２…固定ハウジング、２０…端子、２２…可動部、２５…接触部、１００…相手側コネクタ、２００…基板。
【発明を実施するための最良の形態】
【００１１】
図１乃至図９は本発明の一実施形態を示すもので、図１はコネクタの正面側斜視図、図２はコネクタの背面側斜視図、図３はコネクタの一部拡大斜視図、図４はコネクタの側面断面図、図５は端子の斜視図、図６は端子の平面図、図７は端子の正面図、図８はコネクタの動作を示す側面断面図、図９は従来のコネクタと本発明の一実施形態によるコネクタの特性を示す図である。【００１２】
このコネクタは、コネクタ本体１０と、コネクタ本体１０に保持された複数の端子２０とからなり、各端子２０は、その一端側が一方の接続対象物としての相手側コネクタ１００と接触し、他端側が他方の接続対象物としての基板２００に接続されるようになっている。【００１３】
コネクタ本体１０は合成樹脂の成形品からなり、互いに別体に形成された絶縁性の可動ハウジング１１と固定ハウジング１２によって構成されている。【００１４】
可動ハウジング１１は、前面に相手側コネクタ１００を挿入するための開口部１１ａ，１１ｂを有し、各開口部１１ａ，１１ｂ内の幅方向（Ｘ方向）には各端子２０を保持する複数の端子孔１１ｃが互いに等間隔で設けられている。また、可動ハウジング１１の幅方向（Ｘ方向）両端側には、固定ハウジング１２に嵌合する突部１１ｄがそれぞれ設けられている。【００１５】
固定ハウジング１２は、幅方向（Ｘ方向）に各端子２０を保持する複数の端子孔１２ａを有し、各端子孔１２ａは互いに幅方向（Ｘ方向）に等間隔で設けられている。また、固定ハウジング１２の幅方向両側面の下部には基板２００に接続する接続部１２ｂがそれぞれ設けられ、固定ハウジング１２の幅方向両側面の上部には可動ハウジング１１の各突部１１ｄを固定ハウジング１２の上下方向（Ｚ方向）及び幅方向（Ｘ方向）に係止可能な係止部１２ｃがそれぞれ設けられている。ここで、可動ハウジング１１の各突部１１ｅを固定ハウジング１２の各係止部１２ｃに嵌合させた場合には、図３に示すように、各突部１１ｄと各係止部１２ｃとの間に上下方向（Ｚ方向）及び幅方向（Ｘ方向）の空間が形成され、この空間の範囲内において可動ハウジング１１が固定ハウジング１２に対して移動可能となる。【００１６】
各端子２０は、弾性変形可能な導電性の金属板からなり、その一端側は可動ハウジング１１に保持され、他端側は固定ハウジング１２に保持されている。端子２０は、図５乃至図７に示すように、固定ハウジング１２に沿って前方に延びる保持片２１と、保持片２１の後端から上方に向かって延びるとともに前方に突出するように屈曲する可動部２２と、可動部２２から前方に向かって延びる保持部２３と、保持部２３の前端から前方に向かって延びる真直部２４と、真直部２４の前端から下方に向かって屈曲する接触部２５とから形成されている。また、端子２０の他端側には、基板２００に接続される接続部２６が設けられており、接続部２６は保持片２１の後端の下面から固定ハウジング１２の後方に突出するように形成されている。【００１７】
また、保持部２３の前端側の上部には、端子２０の幅方向（Ｘ方向）に折り曲げるように形成された第１の屈曲部２３ａが設けられており、真直部２４は、第１の屈曲部２３ａの屈曲によって端子２０の幅方向（Ｘ方向）に突出するように形成された第１の突出部２３ｂから前方に延びるように設けられている。さらに、保持部２３の前端側の下部には、端子２０の幅方向（Ｘ方向）に折り曲げるように形成された第２の屈曲部２３ｃと、第２の屈曲部２３ｂから端子２０の幅方向（Ｘ方向）に向かって突出する第２の突出部２３ｄとが設けられている。ここで、第１の突出部２３ｂは、端子２０の他端側、即ち保持片２１、可動部２２及び接続部２６に対して端子２０の幅方向（Ｘ方向）に所定距離（本実施例ではＸ３）だけずれるように形成されている。また、端子２０の一端側、即ち第１の突出部２３ｂ、真直部２４及び接触部２５の幅方向（Ｘ方向）の寸法は、端子２０の他端側の幅寸法（＝Ｘ２）よりも大きいＸ１に形成されている。また、端子２０の一端側の幅寸法（＝Ｘ１）は、上下方向（Ｚ方向）の寸法（＝Ｚ１）よりも大きくなるように形成されており、端子２０の他端側の幅寸法（＝Ｘ２）は、前後方向（Ｙ方向）の寸法（＝Ｙ２）よりも小さくなるように形成されている。【００１８】
端子２０の一端側は、第１の突出部２３ｂ及び第２の突出部２３ｄがそれぞれ可動ハウジング１１の端子孔１１ｃに圧入されることにより可動ハウジング１１に保持され、端子２０の他端側は、係止片２１が固定ハウジング１２の端子孔１２ａに圧入されることにより固定ハウジング１２に保持される。また、端子２０は、固定ハウジング１２に対する可動ハウジング１１の幅方向（Ｘ方向）及び上下方向（Ｚ方向）への移動に伴って、可動部２２を基点として弾性変形するようになっている。【００１９】
また、接続部２６は、端子２０の他端側に設けられており、保持片２１の後端の下面から固定ハウジング１２の後方に突出するように形成されている。【００２０】
以上のように構成されたコネクタは、例えばシリアルＡＴＡ規格に対応したＨＤＤ（Ｈａｒｄ  Ｄｉｓｋ  Ｄｒｉｖｅ）やパーソナルコンピュータ等の装置におけるインターフェース部の基板に取り付けられる。図８に示すように、コネクタ本体１０の前方に位置する相手側コネクタ１００を可動ハウジング１１の一方の開口部１１ａに挿入すると、相手側コネクタ１００に設けられた端子１０１が各端子２０の接触部２５に接触する。ここで、相手側コネクタ１００が幅方向（Ｘ方向）または上下方向（Ｚ方向）に所定距離（例えば０．５ｍｍ）だけ移動した場合には、各端子２０は、可動ハウジング１１が相手側コネクタ１００とともに移動するのに従って可動部２２を基点として弾性変形する。【００２１】
なお、図１０に示すような端子３０を備えた従来のコネクタと本実施形態のコネクタについて、伝送周波数別のリターンロスと、インピーダンスの最大値及び最小値とを実測したものを図９に示す。この場合、本実施形態のコネクタは、各周波数別のリターンロスが小さく、且つインピーダンスの最大値と最小値との差が小さいことから、従来のコネクタに比べて伝送特性が優れていることが明らかである。【００２２】
なお、上記の説明では省略したが、本実施形態のコネクタは、相手側コネクタ１００を可動ハウジング１１の他方の開口部１１ｂに挿入した場合にも、上記と同様に動作する。【００２３】
このように、本実施形態のコネクタによれば、各端子２０の一端側の幅方向（Ｘ方向）の寸法（＝Ｘ１）を他端側の幅方向の寸法（＝Ｘ２）よりも大きくなるように形成したので、一端側における各端子２０の間隔に対して他端側における各端子２０の間隔が広く形成されることから、可動部２２が弾性変形したときに互いに隣接する端子２０同士が接触することがない。これにより、可動ハウジング１１の移動に伴って端子２０が弾性変形する場合に端子２０の短絡を防止することができるので、相手側コネクタ１００と基板２００との電気的接続を確実に行うことができ、複数の装置間の信号を安定して伝送することができる。従って、多数の端子を高密度に配置することができ、小型の電子機器に用いる場合に極めて有利である。【００２４】
また、各端子２０の一端側の幅方向（Ｘ方向）の寸法（＝Ｘ１）を幅方向と直交する方向（Ｚ方向）の寸法（＝Ｚ１）よりも大きくなるように形成し、他端側の幅方向の寸法（＝Ｘ２）を幅方向に直交する方向（Ｙ方向）の寸法（＝Ｙ２）よりも小さくなるように形成したので、他端側の幅寸法がより小さくなることから、各端子２０を幅方向（Ｘ方向）に容易に弾性変形させることができる。【００２５】
さらに、各端子２０の一端側を他端側に対して端子配列方向（Ｘ方向）に所定距離（Ｘ１）だけずれるように形成したので、一端から他端までの端子の長さを保ちながら端子の高さ寸法を小さくすることができ、これに伴ってコネクタを低背化させることができる。【００２６】
また、各端子２０の一端側を幅方向（Ｘ方向）に折り曲げることによって形成したので、各端子２０を容易に構成することができる。【００２７】
なお、前記実施形態では、各端子２０の一端側を幅方向（Ｘ方向）にＸ１だけずれるように形成したものを示したが、このような形状に限定されるものではなく、例えば各端子２０の一端側を保持部２３の上方から前方に延びるように形成してもよい。【００２８】
また、前記実施形態では、各端子２０の可動部２２を前方に突出するように屈曲形成したものを示したが、このような形状に限定されるものではなく、例えば可動部２２を屈曲させることなく上方に延びるように形成してもよい。                                                                 
【図１】
2007094051.tif 000003
【図２】
2007094051.tif 000004
【図３】
2007094051.tif 000005
【図４】
2007094051.tif 000006
【図５】
2007094051.tif 000007
【図６】
2007094051.tif 000008
【図７】
2007094051.tif 000009
【図８】
2007094051.tif 000010
【図９】
2007094051.tif 000011
【図１０】
2007094051.tif 000012
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
一方の接続対象物側に配置される可動ハウジングと、他方の接続対象物側に配置される固定ハウジングと、一端側を可動ハウジングに保持され、他端側を固定ハウジングに保持された複数の端子とを備え、固定ハウジングに対する可動ハウジングの幅方向または上下方向への移動に伴って、各端子の他端側に形成された可動部が弾性変形するようにしたコネクタにおいて、
前記各端子の一端側の幅方向の寸法を他端側の幅方向の寸法よりも大きくなるように形成した
ことを特徴とするコネクタ。
【請求項２】
前記各端子の一端側の幅方向の寸法を幅方向に直交する方向の寸法よりも大きくなるように形成し、他端側の幅方向の寸法を幅方向に直交する方向の寸法よりも小さくなるように形成した
ことを特徴とする請求項１記載のコネクタ。
【請求項３】
前記各端子の一端側を他端側に対して幅方向に所定距離だけずれるように形成した
ことを特徴とする請求項１または２記載のコネクタ。
【請求項４】
前記各端子の一端側を幅方向に折り曲げることによって形成した
ことを特徴とする請求項１、２または３記載のコネクタ。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
一方の接続対象物側に配置される可動ハウジングと、他方の接続対象物側に配置される固定ハウジングと、一端側を可動ハウジングに保持され、他端側を固定ハウジングに保持された複数の端子とを備え、固定ハウジングに対する可動ハウジングの幅方向または上下方向への移動に伴って、各端子の他端側に形成された可動部が弾性変形するようにしたコネクタにおいて、
前記各端子の一端側を、幅方向に折り曲げることにより他端側に対して所定距離だけずれるように形成するとともに、各端子の一端側の幅方向の寸法を、他端側の幅方向の寸法及び一端側の上下方向の寸法のそれぞれよりも大きくなるように形成し、
各端子の他端側の幅方向の寸法を、他端側の前後方向の寸法よりも小さくなるように形成した
ことを特徴とするコネクタ。
【手続補正２】
【補正対象書類名】明細書
【補正対象項目名】０００６
【補正方法】変更
【補正の内容】
【０００６】
本発明は前記目的を達成するために、一方の接続対象物側に配置される可動ハウジングと、他方の接続対象物側に配置される固定ハウジングと、一端側を可動ハウジングに保持され、他端側を固定ハウジングに保持された複数の端子とを備え、固定ハウジングに対する可動ハウジングの幅方向または上下方向への移動に伴って、各端子の他端側に形成された可動部が弾性変形するようにしたコネクタにおいて、前記各端子の一端側を、幅方向に折り曲げることにより他端側に対して所定距離だけずれるように形成するとともに、各端子の一端側の幅方向の寸法を、他端側の幅方向の寸法及び一端側の上下方向の寸法のそれぞれよりも大きくなるように形成し、各端子の他端側の幅方向の寸法を、他端側の前後方向の寸法よりも小さくなるように形成している。                                        
【国際調査報告】
2007094051.tif 000013
2007094051.tif 000014
2007094051.tif 000015
2007094051.tif 000016